(57)【要約】【課題】表面と背面との双方において画像を表示するためのより薄型の表示装置を提供する。【解決手段】液晶表示パネルは、電界が印加された状態においては第１偏光を透過させ前記電界が印加されない状態においては表面方向へ向かう第１偏光を前記表面方向へ向かう第２偏光に変換するように設けられた透過型ＴＮ液晶素子と、前記透過型ＴＮ液晶素子を透過した第１偏光を反射し前記透過型ＴＮ液晶素子によって変換された前記表面方向へ向かう第２偏光を透過するように設けられた反射型偏光板と、前記第１偏光を透過させるために前記透過型ＴＮ液晶素子を挟んで前記反射型偏光板と対向するように設けられた偏光板とを具備することを特徴とする。【選択図】  図３
2004205703.tif 000002
【特許請求の範囲】
【請求項１】
電界が印加された状態においては第１偏光を透過させ前記電界が印加されない状態においては表面方向へ向かう第１偏光を前記表面方向へ向かう第２偏光に変換するように設けられた透過型ＴＮ液晶素子と、
前記透過型ＴＮ液晶素子を透過した第１偏光を反射し前記透過型ＴＮ液晶素子によって変換された前記表面方向へ向かう第２偏光を透過するように設けられた反射型偏光板と、
前記第１偏光を透過させるために前記透過型ＴＮ液晶素子を挟んで前記反射型偏光板と対向するように設けられた偏光板とを具備することを特徴とする液晶表示パネル。
【請求項２】
前記第１偏光の偏光方向と前記第２偏光の偏光方向とは、互いに約９０度異なっている、請求項１記載の液晶表示パネル。
【請求項３】
前記表面方向へ向かって前記偏光板を透過した第１偏光は、前記透過型ＴＮ液晶素子に前記電界が印加された状態においては、前記透過型ＴＮ液晶素子を透過して前記反射型偏光板によって反射された後、前記表面方向とは反対の背面方向へ向かって前記透過型ＴＮ液晶素子および前記偏光板を透過し、前記透過型ＴＮ液晶素子に前記電界が印加されない状態においては、前記透過型ＴＮ液晶素子によって第２偏光に変換された後、前記表面方向へ向かって前記反射型偏光板を透過する、請求項１記載の液晶表示パネル。
【請求項４】
前記透過型ＴＮ液晶素子に前記電界が印加されない状態において、前記透過型ＴＮ液晶素子によって変換され前記表面方向へ向かって前記反射型偏光板を透過した第２偏光によってメイン画像を表示するために前記反射型偏光板を挟んで前記透過型ＴＮ液晶素子と対向するように配置された表面表示画面と、
前記透過型ＴＮ液晶素子に前記電界が印加された状態において、前記背面方向へ向かって前記透過型ＴＮ液晶素子および前記偏光板を透過した第１偏光によってサブ画像を表示するために前記偏光板を挟んで前記透過型ＴＮ液晶素子と対向するように配置された背面表示画面とをさらに具備する、請求項１記載の液晶表示パネル。
【請求項５】
前記第１偏光を受け取り前記偏光板へ供給するために前記偏光板を挟んで前記透過型ＴＮ液晶素子と対向するように配置されたフロントライトをさらに具備する、請求項１記載の液晶表示パネル。
【請求項６】
前記フロントライトへ前記第１偏光を供給するために設けられた光源をさらに具備する、請求項５記載の液晶表示パネル。
【請求項７】
電界が印加された状態においては第１偏光を透過させ前記電界が印加されない状態においては表面方向へ向かう第１偏光を前記表面方向へ向かう第２偏光に変換するように設けられた透過型ＴＮ液晶素子と、
前記透過型ＴＮ液晶素子を透過した第１偏光を反射し前記透過型ＴＮ液晶素子によって変換された前記表面方向へ向かう第２偏光を透過するように設けられた反射型偏光板と、
前記第１偏光を透過させるために前記透過型ＴＮ液晶素子を挟んで前記反射型偏光板と対向するように設けられた偏光板と、
前記透過型ＴＮ液晶素子に前記電界が印加されない状態において、前記透過型ＴＮ液晶素子によって変換され前記表面方向へ向かって前記反射型偏光板を透過した第２偏光によってメイン画像を表示するために前記反射型偏光板を挟んで前記透過型ＴＮ液晶素子と対向するように配置された表面表示画面と、
前記透過型ＴＮ液晶素子に前記電界が印加された状態において、前記背面方向へ向かって前記透過型ＴＮ液晶素子および前記偏光板を透過した第１偏光によってサブ画像を表示するために前記偏光板を挟んで前記透過型ＴＮ液晶素子と対向するように配置された背面表示画面と、
前記表面表示画面が設けられた表面と前記背面表示画面が設けられた背面とを有する本体とを具備することを特徴とするモバイル機器。
【発明の詳細な説明】
【０００１】
【発明の属する技術分野】
本発明は、表面と背面との双方において画像を表示するための表示装置およびモバイル機器に関する。
【０００２】
【従来の技術】
携帯電話によって代表されるモバイル装置は、薄型であって、かつコンパクトであることが要求される。特開２００２−２０９００１号公報には、表面と背面との双方において画像を表示するための表示装置およびモバイル機器が開示されている。
【０００３】
【特許文献１】
特開２００２−２０９００１号公報
【０００４】
【発明が解決しようとする課題】
しかしながら前述した従来技術に開示された構成では、本体の表面と背面との双方において画像を表示するために、本体の表面において画像を表示するための表面用発光素子と、本体の背面において画像を表示するための背面発光素子とを設ける必要がある。表面用発光素子と背面発光素子とは、携帯電話の厚み方向に沿って互いに重なるように設ける必要がある。このため、携帯電話の厚みが厚くなるという問題がある。
【０００５】
本発明は係る問題を解決するためになされたものであり、その目的は、表面と背面との双方において画像を表示するためのより薄型の表示装置およびモバイル機器を提供することにある。
【０００６】
【課題を解決するための手段】
係る目的を達成するために本発明に係る液晶表示パネルは、電界が印加された状態においては第１偏光を透過させ前記電界が印加されない状態においては表面方向へ向かう第１偏光を前記表面方向へ向かう第２偏光に変換するように設けられた透過型ＴＮ液晶素子と、前記透過型ＴＮ液晶素子を透過した第１偏光を反射し前記透過型ＴＮ液晶素子によって変換された前記表面方向へ向かう第２偏光を透過するように設けられた反射型偏光板と、前記第１偏光を透過させるために前記透過型ＴＮ液晶素子を挟んで前記反射型偏光板と対向するように設けられた偏光板とを具備することを特徴とする。
【０００７】
本発明に係るモバイル機器は、電界が印加された状態においては第１偏光を透過させ前記電界が印加されない状態においては表面方向へ向かう第１偏光を前記表面方向へ向かう第２偏光に変換するように設けられた透過型ＴＮ液晶素子と、前記透過型ＴＮ液晶素子を透過した第１偏光を反射し前記透過型ＴＮ液晶素子によって変換された前記表面方向へ向かう第２偏光を透過するように設けられた反射型偏光板と、前記第１偏光を透過させるために前記透過型ＴＮ液晶素子を挟んで前記反射型偏光板と対向するように設けられた偏光板と、前記透過型ＴＮ液晶素子に前記電界が印加されない状態において、前記透過型ＴＮ液晶素子によって変換され前記表面方向へ向かって前記反射型偏光板を透過した第２偏光によってメイン画像を表示するために前記反射型偏光板を挟んで前記透過型ＴＮ液晶素子と対向するように配置された表面表示画面と、前記透過型ＴＮ液晶素子に前記電界が印加された状態において、前記背面方向へ向かって前記透過型ＴＮ液晶素子および前記偏光板を透過した第１偏光によってサブ画像を表示するために前記偏光板を挟んで前記透過型ＴＮ液晶素子と対向するように配置された背面表示画面と、前記表面表示画面が設けられた表面と前記背面表示画面が設けられた背面とを有する本体とを具備することを特徴とする。
【０００８】
【発明の実施の形態】
本実施の形態に係る液晶表示パネルにおいては、電界が印加された状態においては第１偏光を透過させ電界が印加されない状態においては表面方向へ向かう第１偏光を表面方向へ向かう第２偏光に変換するように設けられた透過型ＴＮ液晶素子と、透過型ＴＮ液晶素子を透過した第１偏光を反射し透過型ＴＮ液晶素子によって変換された表面方向へ向かう第２偏光を透過するように設けられた反射型偏光板と、第１偏光を透過させるために透過型ＴＮ液晶素子を挟んで反射型偏光板と対向するように設けられた偏光板とを具備している。
【０００９】
このため、表面方向へ向かって偏光板を透過した第１偏光は、透過型ＴＮ液晶素子に電界が印加された状態においては、透過型ＴＮ液晶素子を透過して反射型偏光板によって反射された後、表面方向とは反対の背面方向へ向かって透過型ＴＮ液晶素子および偏光板を透過し、透過型ＴＮ液晶素子に電界が印加されない状態においては、透過型ＴＮ液晶素子によって第２偏光に変換された後、表面方向へ向かって前記反射型偏光板を透過する。従って、１枚の液晶素子によって表面側と背面側との双方に画像を表示することができる。その結果、表面と背面との双方において画像を表示するためのより薄型の液晶表示パネルを得ることができる。
【００１０】
前記第１偏光の偏光方向と前記第２偏光の偏光方向とは、互いに約９０度異なっていることが好ましい。
【００１１】
前記表面方向へ向かって前記偏光板を透過した第１偏光は、前記透過型ＴＮ液晶素子に前記電界が印加された状態においては、前記透過型ＴＮ液晶素子を透過して前記反射型偏光板によって反射された後、前記表面方向とは反対の背面方向へ向かって前記透過型ＴＮ液晶素子および前記偏光板を透過し、前記透過型ＴＮ液晶素子に前記電界が印加されない状態においては、前記透過型ＴＮ液晶素子によって第２偏光に変換された後、前記表面方向へ向かって前記反射型偏光板を透過することが好ましい。
【００１２】
前記透過型ＴＮ液晶素子に前記電界が印加されない状態において、前記透過型ＴＮ液晶素子によって変換され前記表面方向へ向かって前記反射型偏光板を透過した第２偏光によってメイン画像を表示するために前記反射型偏光板を挟んで前記透過型ＴＮ液晶素子と対向するように配置された表面表示画面と、前記透過型ＴＮ液晶素子に前記電界が印加された状態において、前記背面方向へ向かって前記透過型ＴＮ液晶素子および前記偏光板を透過した第１偏光によってサブ画像を表示するために前記偏光板を挟んで前記透過型ＴＮ液晶素子と対向するように配置された背面表示画面とをさらに具備することが好ましい。
【００１３】
前記第１偏光を受け取り前記偏光板へ供給するために前記偏光板を挟んで前記透過型ＴＮ液晶素子と対向するように配置されたフロントライトをさらに具備することが好ましい。
【００１４】
前記フロントライトへ前記第１偏光を供給するために設けられた光源をさらに具備することが好ましい。
【００１５】
本実施の形態に係るモバイル機器においては、電界が印加された状態においては第１偏光を透過させ前記電界が印加されない状態においては表面方向へ向かう第１偏光を前記表面方向へ向かう第２偏光に変換するように設けられた透過型ＴＮ液晶素子と、透過型ＴＮ液晶素子を透過した第１偏光を反射し透過型ＴＮ液晶素子によって変換された表面方向へ向かう第２偏光を透過するように設けられた反射型偏光板と、第１偏光を透過させるために透過型ＴＮ液晶素子を挟んで反射型偏光板と対向するように設けられた偏光板とが設けられている。
【００１６】
このため、表面方向へ向かって偏光板を透過した第１偏光は、透過型ＴＮ液晶素子に電界が印加された状態においては、透過型ＴＮ液晶素子を透過して反射型偏光板によって反射された後、表面方向とは反対の背面方向へ向かって透過型ＴＮ液晶素子および偏光板を透過し、透過型ＴＮ液晶素子に電界が印加されない状態においては、透過型ＴＮ液晶素子によって第２偏光に変換された後、表面方向へ向かって前記反射型偏光板を透過する。従って、１枚の液晶素子によって表面表示画面と背面表示画面との双方に画像を表示することができる。その結果、表面表示画面と背面表示画面との双方において画像を表示するためのより薄型のモバイル機器を得ることができる。
【００１７】
以下、図面を参照して本発明の実施の形態を説明する。
【００１８】
図１は本実施の形態に係るモバイル機器１５０を表面側から見た斜視図であり、図２はモバイル機器１５０を背面側から見た斜視図である。モバイル機器１５０は、例えば携帯電話であり、略板状の形状をした本体１２を備えている。本体１２の長手方向に垂直な方向に沿って形成された側面には、円柱形状をしたアンテナ１５が本体１２の長手方向に沿って突出するように設けられている。アンテナ１５は、音声情報、その他のデータを送受信するために設けられている。
【００１９】
本体１２に形成された表面１３には、略正方形状をした表面表示画面８がアンテナ１５側に設けられている。本体１２に形成された背面１４には、略正方形状をした背面表示画面９がアンテナ１５側に設けられている。表面表示画面８および背面表示画面９は、互いに略同一の形状をしており、互いに対向する位置に配置されている。
【００２０】
表面表示画面８および背面表示画面９は、モバイル機器１５０によって提供される各種サービスの内容を効率よく分類して表示することができる。表面表示画面８および背面表示画面９は、互いに同一の内容を表示することができるし、表面表示画面８および背面表示画面９をそれぞれ駆動する電子回路を互いに独立してそれぞれ設けることによって、互いに独立した内容を表示することができる。
【００２１】
本体１２に形成された表面１３における表面表示画面８の反対側には、マトリックス状に配置された複数のキーボード１８が配置されている。本体１２に形成された背面１４における背面表示画面９の反対側には、マトリックス状に配置された複数のキーボード１９が配置されている。キーボード１８およびキーボード１９は、数字、文字および記号をモバイル機器１５０に入力するために設けられている。
【００２２】
本体１２に形成された表面１３における表面表示画面８と複数のキーボード１８との間には、表面モード切替ボタン１６が設けられている。本体１２に形成された背面１４における背面表示画面９と複数のキーボード１９との間には、背面モード切替ボタン１７が設けられている。表面モード切替ボタン１６および背面モード切替ボタン１７は、各種サービス機能を選択し、またはキーボード１８およびキーボード１９からのかな、ひらがな、英数字等の入力を選択するためにそれぞれ設けられている。
【００２３】
本体１２の長手方向に沿って本体１２に形成された側面には、ひも状の部材によってリング状に形成されたストラップ２０が設けられている。
【００２４】
図３は本実施の形態に係るモバイル機器１５０に設けられた液晶表示パネル１００の構成を示す断面図であり、図４は液晶表示パネル１００の動作を説明するための模式断面図である。
【００２５】
液晶表示パネル１００は、透過型ＴＮ液晶素子２を備えている。透過型ＴＮ液晶素子２は、電界が印加された状態においては第１偏光４を透過させ電界が印加されない状態においては表面方向６へ向かう第１偏光４を表面方向６へ向かう第２偏光５に変換するように設けられている。第１偏光４の偏光方向と第２偏光５の偏光方向とは、互いに約９０度異なっている。
【００２６】
液晶表示パネル１００には、反射型偏光板３が設けられている。反射型偏光板３は、透過型ＴＮ液晶素子２を透過した第１偏光４を反射し、透過型ＴＮ液晶素子２によって変換された表面方向６へ向かう第２偏光５を透過するように設けられている。
【００２７】
液晶表示パネル１００は、偏光板１を備えている。偏光板１は、第１偏光４を透過させるために透過型ＴＮ液晶素子２を挟んで反射型偏光板３と対向するように設けられている。
【００２８】
モバイル機器１５０の本体１２に形成された表面１３に設けられた表面表示画面８は、透過型ＴＮ液晶素子２に電界が印加されない状態において、透過型ＴＮ液晶素子２によって変換され表面方向６へ向かって反射型偏光板３を透過した第２偏光５によってメイン画像を表示するために、反射型偏光板３を挟んで透過型ＴＮ液晶素子２と対向するように配置されている。
【００２９】
モバイル機器１５０の本体１２に形成された背面１４に設けられた背面表示画面９は、透過型ＴＮ液晶素子２に電界が印加された状態において、背面方向７へ向かって透過型ＴＮ液晶素子２および偏光板１を透過した第１偏光４によってサブ画像を表示するために、偏光板１を挟んで透過型ＴＮ液晶素子２と対向するように配置されている。
【００３０】
液晶表示パネル１００には、フロントライト１０が設けられている。フロントライト１０は、第１偏光４を受け取り偏光板１へ供給するために偏光板１と背面表示画面９との間に配置されている。
【００３１】
液晶表示パネル１００は、光源１１を備えている。光源１１は、フロントライト１０へ第１偏光４を供給するために設けられている。
【００３２】
このように構成された液晶表示パネル１００においては、光源１１がフロントライト１０へ第１偏光４を供給すると、フロントライト１０は、第１偏光４の進行方向を変換して偏光板１へ供給する。そして、フロントライト１０から偏光板１へ供給された第１偏光４は、表面方向６へ向かって偏光板１を通り抜ける。
【００３３】
透過型ＴＮ液晶素子２に電界が印加されたオン状態においては、表面方向６へ向かって偏光板１を透過した第１偏光４は、透過型ＴＮ液晶素子２を表面方向６へ向かって透過する。そして、透過型ＴＮ液晶素子２を表面方向６へ向かって透過した第１偏光４は、反射型偏光板２によって反射される。次に、反射型偏光板２によって反射された第１偏光４は、背面方向７へ向かって透過型ＴＮ液晶素子２、偏光板１およびフロントライト１０を通り抜けて、背面表示画面９においてサブ画像を表示する。
【００３４】
透過型ＴＮ液晶素子２に電界が印加されていないオフ状態においては、表面方向６へ向かって偏光板１を透過した第１偏光４は、透過型ＴＮ液晶素子２によって第２偏光５に変換される。その後、透過型ＴＮ液晶素子２によって変換された第２偏光５は、表面方向６へ向かって反射型偏光板３を透過し、表面表示画面８においてメイン画像を表示する。
【００３５】
このように、電界が印加された透過型ＴＮ液晶素子２は、背面表示画面９においてオン表示となり、表面表示画面８においてオフ表示となる。電界が印加されていない透過型ＴＮ液晶素子２は、背面表示画面９においてオフ表示となり、表面表示画面８においてオン表示となる。従って、表面表示画面８においてはポジ表示となり、背面表示画面９においては表面表示画面８において表示された画像のネガ表示をすることができる。
【００３６】
以上のように本実施の形態によれば、電界が印加された状態においては第１偏光４を透過させ電界が印加されない状態においては表面方向６へ向かう第１偏光４を表面方向６へ向かう第２偏光５に変換するように設けられた透過型ＴＮ液晶素子２と、透過型ＴＮ液晶素子２を透過した第１偏光４を反射し透過型ＴＮ液晶素子２によって変換された表面方向６へ向かう第２偏光５を透過するように設けられた反射型偏光板３と、第１偏光４を透過させるために透過型ＴＮ液晶素子２を挟んで反射型偏光板３と対向するように設けられた偏光板１とを具備している。
【００３７】
このため、表面方向６へ向かって偏光板１を透過した第１偏光４は、透過型ＴＮ液晶素子２に電界が印加された状態においては、透過型ＴＮ液晶素子２を透過して反射型偏光板３によって反射された後、表面方向６とは反対の背面方向７へ向かって透過型ＴＮ液晶素子２および偏光板１を透過し、透過型ＴＮ液晶素子２に電界が印加されない状態においては、透過型ＴＮ液晶素子２によって第２偏光５に変換された後、表面方向６へ向かって反射型偏光板３を透過する。従って、１枚の液晶素子によって表面側と背面側との双方に画像を表示することができる。その結果、表面と背面との双方において画像を表示するためのより薄型の液晶表示パネルを得ることができる。
【００３８】
また、１枚の液晶素子によって表示装置を構成することができるので、コストも従来の構成の約３分の２に低くなる。
【００３９】
なお、本実施の形態においては、略板状の形状をした本体を備えた携帯電話に本発明を適用した例を示したが、本発明はこれに限定されない。折りたたみ自在に構成された折り畳み型携帯電話に対しても本発明を適用することができる。
【００４０】
また、本体の表面と背面との双方にキーボードおよび切替ボタンを設けた携帯電話の例を示したが、キーボードおよび切替ボタンは、本体の表面と背面とのいずれかに設けるように構成してもよい。
【００４１】
さらに、表面表示画面と背面表示画面とが同一の形状である例を示したが、本発明はこれに限定されない。例えば、背面表示画面を表面表示画面よりも小さく構成してもよい。
【００４２】
【発明の効果】
以上のように本発明によれば、表面と背面との双方において画像を表示するためのより薄型の表示装置およびモバイル機器を提供することができる。
【図面の簡単な説明】
【図１】本実施の形態に係るモバイル機器を表面側から見た斜視図
【図２】本実施の形態に係るモバイル機器を背面側から見た斜視図
【図３】本実施の形態に係る液晶表示パネルの構成を示す断面図
【図４】本実施の形態に係る液晶表示パネルの動作を説明するための模式断面図
【符号の説明】
１  偏光板
２  透過型ＴＮ液晶素子
３  反射型偏光板
４  偏光
５  偏光
６  表面方向
７  背面方向
８  表面表示画面
９  背面表示画面
１０  フロントライト
１１  光源
１２  本体
１３  表面
１４  背面
【図１】
2004205703.tif 000003
【図２】
2004205703.tif 000004
【図３】
2004205703.tif 000005
【図４】
2004205703.tif 000006